(57)【要約】【課題】体動ノイズによる影響を抑制した上で生体の脈波を測定する。【解決手段】脈波測定システム９の検出器２は、測定部位の体動を検出してその測定部位の加速度ベクトルを制御部１１に送る。制御部１１は、取得した加速度ベクトルからＺ軸方向の加速度を抽出し、これを数値積分することで重力方向の速度ｖを算出し、対応表１２１を参照することにより、算出した速度ｖに対応する発光素子駆動情報を特定する。制御部１１は、特定した発光素子駆動情報に応じた制御信号を測定器３の発光部３１に送信することで、発光を制御する。次に、制御部１１は、受光部３２の受光信号から脈波情報を取得し、その脈波情報に対して微分演算を行うことで速度脈波および加速度脈波を算出する。そして制御部１１は、これらに基づいて生体の循環器機能を評価する。評価結果は、記憶部１２や表示部１４に合わせた形式に変換されて出力される。【選択図】図１
2011217784.tif 000002
【特許請求の範囲】
【請求項１】
生体の部位の動作を検出する検出手段と、
前記検出手段により検出された動作に応じて光の帯域を選択する選択手段と、
前記選択手段により選択された帯域の光を前記部位に照射して、当該部位を透過または
反射した光を用いて脈波を測定する測定手段と
を具備することを特徴とする測定装置。
【請求項２】
前記選択手段は、
前記生体内の血液が移動して当該生体がうっ血状態になるような動作を前記検出手段が
検出した場合には、当該生体が虚血状態になるような動作を前記検出手段が検出した場合
に比較して長波長側にある帯域を選択する
ことを特徴とする請求項１に記載の測定装置。
【請求項３】
前記選択手段は、
前記検出手段が検出した前記部位の動作が重力方向の成分を含む移動である場合には、
当該部位の動作が重力方向と逆の成分を含む移動である場合に比較して長波長側にある帯
域を選択する
ことを特徴とする請求項１に記載の測定装置。
【請求項４】
前記検出手段は、生体の部位の動作として当該部位の加速度を検出し、
前記選択手段は、
前記検出手段により検出された加速度の絶対値が閾値を超える場合には、前記検出手段
により検出された加速度の絶対値が前記閾値を超えない場合に比較して長波長側にある帯
域を選択する
ことを特徴とする請求項１に記載の測定装置。
【請求項５】
前記選択手段は、
前記検出手段が検出した前記部位の動作が、重力方向において予め決められた範囲の動
作であり、且つ、前記部位から前記生体の末端に向かう遠心力を生じさせる動作である場
合には、前記部位から前記生体の末端に向かう遠心力を生じさせない動作である場合に比
較して長波長側にある帯域を選択する
ことを特徴とする請求項１に記載の測定装置。
【請求項６】
コンピューターを、
生体の部位の動作を検出する検出手段から、当該動作を示す検出情報を取得する取得手
段と、
前記取得手段により取得された検出情報に応じて光の帯域を選択する選択手段と、
光を照射する照射手段により、前記選択手段により選択された帯域の光を前記部位に対
して照射させる制御手段と、
前記選択手段により選択された帯域の光を前記照射手段により照射された前記部位にお
いて、透過または反射した光を測定する測定手段から当該光を示す測定情報を取得し、当
該測定情報を用いて脈波を解析する解析手段
として機能させるためのプログラム。
【発明の詳細な説明】
【技術分野】
【０００１】
本発明は、光による生体脈波の測定装置およびプログラムに関する。
【背景技術】
【０００２】
生体の循環器機能を測定する医療用測定機器として脈波を測定する脈波測定装置がある
。脈波とは、心臓の拍動に伴う末梢血管系内の血圧・体積の変化である。この脈波による
血管内の圧力変化を捕らえたものが圧脈波であり、血管の容量変化を捕らえたものが容量
脈波である。光を用いて容量脈波を測定する測定装置を、光電式容量脈波測定装置という
。この原理は、以下の通りである。
【０００３】
血中ヘモグロビンは、ある波長帯の光に強い吸収スペクトルを持っている。この波長帯
の光を照射した時の生体の透過光や反射光は、血管の容量変動に伴い変化するヘモグロビ
ン量に応じて変化するので、この透過光や反射光の強度を電気信号に変えて脈波を測定す
ることが可能である。
【０００４】
ところで、生体の脈波を測定する場合、測定部位の動作（以下、体動という）によって
測定結果にノイズ（以下、体動ノイズという）が生じることがある。体動ノイズは測定部
位の加圧・減圧状態や、発光素子・受光素子と生体との位置関係等が、体動によって変化
し、測定される反射光の方向や量に影響するために生じる。体動ノイズを低減させるため
の技術として、特許文献１には、２個以上の受光素子が計測した各受光信号のうち、波形
の交流成分と直流成分とからなる評価関数値が最大となる受光信号を選択する生体情報計
測装置が開示されている。
【先行技術文献】
【特許文献】
【０００５】
【特許文献１】特開２００８−２９８２７０号公報
【発明の概要】
【発明が解決しようとする課題】
【０００６】
しかし、２個以上の受光素子が既に計測した各受光信号を評価してからそのいずれかを
選択するのではリアルタイム性に欠けるという欠点がある。
本発明の目的は、体動ノイズによる影響を抑制した上で生体の脈波を測定する測定装置
を提供することにある。
【課題を解決するための手段】
【０００７】
上述した課題を解決するため、本発明に係る測定装置は、生体の部位の動作を検出する
検出手段と、前記検出手段により検出された動作に応じて光の帯域を選択する選択手段と
、前記選択手段により選択された帯域の光を前記部位に照射して、当該部位を透過または
反射した光を用いて脈波を測定する測定手段とを具備することを特徴とする。
これにより、体動ノイズによる影響を抑制した上で生体の脈波を測定することができる
。
【０００８】
好ましくは、上述の態様において、前記選択手段は、前記生体内の血液が移動して当該
生体がうっ血状態になるような動作を前記検出手段が検出した場合には、当該生体が虚血
状態になるような動作を前記検出手段が検出した場合に比較して長波長側にある帯域を選
択するとよい。
これにより、測定部位がうっ血状態になるような動作をしたときの体動ノイズによる影
響を抑制した上で生体の脈波を測定することができる。
【０００９】
また、好ましくは、上述の態様において、前記選択手段は、前記検出手段が検出した前
記部位の動作が重力方向の成分を含む移動である場合には、当該部位の動作が重力方向と
逆の成分を含む移動である場合に比較して長波長側にある帯域を選択するとよい。
これにより、測定部位が重力方向の成分を含む移動をしたときの体動ノイズによる影響
を抑制した上で生体の脈波を測定することができる。
【００１０】
また、好ましくは、上述の態様において、前記検出手段は、生体の部位の動作として当
該部位の加速度を検出し、前記選択手段は、前記検出手段により検出された加速度の絶対
値が閾値を超える場合には、前記検出手段により検出された加速度の絶対値が前記閾値を
超えない場合に比較して長波長側にある帯域を選択するとよい。
これにより、測定部位の加速度が閾値を超えたときの体動ノイズによる影響を抑制した
上で生体の脈波を測定することができる。
【００１１】
また、好ましくは、上述の態様において、前記選択手段は、前記検出手段が検出した前
記部位の動作が、重力方向において予め決められた範囲の動作であり、且つ、前記部位か
ら前記生体の末端に向かう遠心力を生じさせる動作である場合には、前記部位から前記生
体の末端に向かう遠心力を生じさせない動作である場合に比較して長波長側にある帯域を
選択するとよい。
これにより、測定部位がその測定部位から生体の末端に向かう遠心力を生じさせる動作
をしたときの体動ノイズによる影響を抑制した上で生体の脈波を測定することができる。
【００１２】
また、本願に係るプログラムは、コンピューターを、生体の部位の動作を検出する検出
手段から、当該動作を示す検出情報を取得する取得手段と、前記取得手段により取得され
た検出情報に応じて光の帯域を選択する選択手段と、光を照射する照射手段により、前記
選択手段により選択された帯域の光を前記部位に対して照射させる制御手段と、前記選択
手段により選択された帯域の光を前記照射手段により照射された前記部位において、透過
または反射した光を測定する測定手段から当該光を示す測定情報を取得し、当該測定情報
を用いて脈波を解析する解析手段として機能させるためのプログラムである。
これにより、体動ノイズによる影響を抑制した上で生体の脈波を測定することができる
。
【図面の簡単な説明】
【００１３】
【図１】本発明に係る脈波測定システムの全体構成を示す図である。
【図２】記憶部に記憶される対応表の一例を示す図である。
【図３】制御部の機能的構成を示す図である。
【図４】脈波測定システムの動作を示すフロー図である。
【図５】ヒトの上腕部を測定した測定信号の時間変化を表す概略図である。
【発明を実施するための形態】
【００１４】
１．構成
１−１．全体構成
図１は、本発明に係る脈波測定システム９の全体構成を示す図である。脈波測定システ
ム９は、生体の脈波を測定する脈波測定装置として機能する。脈波測定システム９は、脈
波解析装置１と、検出器２と、測定器３とを備えている。
検出器２は、生体の測定部位に取り付けられてその測定部位の動作である体動を検出し
検出結果に応じた信号を出力するセンサーである。すなわち検出器２は、生体の部位の動
作を検出する検出手段に相当する。具体的には、検出器２は、静電容量型加速度センサー
やピエゾ抵抗型加速度センサー等を備えており、Ｘ，Ｙ，Ｚの３軸方向の加速度を検出す
る。そして、検出器２は、検出した上記３軸方向のそれぞれの加速度を示す値を含む加速
度ベクトルを、測定部位の動作を示す検出情報として出力する。なお、Ｘ軸、Ｙ軸は水平
面において互いに直交する軸であり、Ｚ軸は上から下へ向かう方向、つまり重力方向に延
びる軸である。
【００１５】
測定器３は、脈波解析装置１により選択された帯域の光を測定部位に照射して、この測
定部位を透過または反射した光を測定する。具体的には、測定器３は、発光素子３１１ａ
および発光素子３１１ｂ（以下、特に区別の必要がない場合は、これらを総称して「発光
素子３１１」と記す）を有する発光部３１と、これらの発光素子３１１により光が照射さ
れる部位からの反射光を受光する受光部３２とを備えている。
【００１６】
発光素子３１１ａおよび発光素子３１１ｂは、互いに帯域が異なる光を照射するＬＥＤ
（Light Emitting Diode）であり、一方の発光素子３１１における主波長の光は、他方の
発光素子３１１によって照射される光にほとんど含まれないようにそれぞれの発光素子３
１１が設計されている。具体的には、発光素子３１１ａは主波長が５２０ｎｍの光であっ
て、波長が６６０ｎｍの光をほとんど含まない光を照射し、発光素子３１１ｂは主波長が
６６０ｎｍの光であって、波長が５２０ｎｍの光をほとんど含まない光を照射する。
なお、ここでいう「ほとんど含まない光」とは主波長の光のエネルギーの５０％以下の
光をいう。また、発光素子３１１ａが照射する光、すなわち、主波長が５２０ｎｍの光で
あって波長が６６０ｎｍの光をほとんど含まない光は一般にヒトの目には緑色に見えるた
め、以下、緑色光と呼ぶ。また、発光素子３１１ｂが照射する光、すなわち、主波長が６
６０ｎｍの光であって波長が５２０ｎｍの光をほとんど含まない光は一般にヒトの目には
赤色に見えるため、以下、赤色光と呼ぶ。
【００１７】
脈波解析装置１の制御部１１は、ＣＰＵ（Central Processing Unit）を有しており、
このＣＰＵが図示しないＲＯＭに記憶されているブートローダーや記憶部１２に記憶され
ているコンピュータープログラムを読み出して実行することにより脈波解析装置１の各部
を制御する。例えば、制御部１１は、後述する積分手段や、選択手段、解析手段として機
能する。
記憶部１２はハードディスクドライブ等の大容量の記憶手段であり、制御部１１に読み
込まれるプログラムを記憶する。また、記憶部１２には、測定部位の体動と光の帯域との
対応関係が記述された対応表１２１を記憶するほか、循環器機能に関する臨床データ等を
記憶する。
【００１８】
図２は、記憶部１２に記憶される対応表１２１の一例を示す図である。対応表１２１に
は、測定部位の体動に関する条件を示す体動条件と、脈波解析装置１が測定器３を制御し
て発光させる発光素子３１１ごとに駆動の有無を示す発光素子駆動情報とが対応付けて記
述されている。体動条件とは、測定部位が移動するときの重力方向の速度ｖに応じて区分
された条件である。発光素子駆動情報に記述された「○」はそのフィールドで示される発
光素子３１１により測定部位を照射することを表しており、「×」は照射しないことを表
している。図２に示す対応表１２１においては、測定部位の重力方向の速度ｖが０．７ｍ
／ｓ以上である場合には、発光素子３１１ａは「×」であり、発光素子３１１ｂは「○」
である。したがって、この場合には、発光素子３１１ａは駆動されず、発光素子３１１ｂ
が駆動されるので、発光部３１からは赤色光が照射される。
【００１９】
図１に戻る。操作部１３は各種の指示を入力するための操作ボタン等を備えており、ユ
ーザーによる操作を受け付けてその操作内容に応じた信号を制御部１１に供給する。
表示部１４は、例えば、コレステリック液晶等の表示体を備えており、制御部１１から
の指示に応じて、解析された測定結果等を表示する。
第１通信部１５は、検出器２との間で制御情報や検出結果を示す情報を通信するインタ
ーフェースであり、第２通信部１６は、測定器３との間で制御情報や測定結果を示す情報
を通信するインターフェースである。第１通信部１５および第２通信部１６は、例えば各
種のモデムやIMT-2000に準拠した無線通信回路、あるいは、ＵＳＢ（Universal Serial B
us）規格に準拠したシリアルインターフェースや、ＩｒＤＡ（Infrared Data Associatio
n）、Bluetooth（登録商標）等に準拠した無線インターフェース等である。
図１に示すように、脈波解析装置１の各部はバスを介して互いに接続されている。
【００２０】
１−２．制御部の機能構成
図３は、制御部１１の機能的構成を示す図である。
積分部１１１は、検出器２によって出力された加速度ベクトルを、第１通信部１５を介
して取得する。そして、積分部１１１は、取得した加速度ベクトルからＺ軸方向の加速度
を抽出しこれを時間積分することにより、測定部位の重力方向に沿った移動の速度ｖを算
出する。例えば、測定部位が上から下へ、すなわち重力方向に沿って移動するときには、
その測定部位の速度ｖは正の値として算出される。一方、測定部位が下から上へ、すなわ
ち重力方向に逆らって移動するときには、その測定部位の速度ｖは負の値として算出され
る。積分部１１１は、制御部１１が記憶部１２から読み出したプログラムを実行すること
により実現される。
【００２１】
選択部１１２は、記憶部１２に記憶されている対応表１２１を参照して、積分部１１１
により算出された速度ｖに対応する発光素子駆動情報を特定する。そして、特定した発光
素子駆動情報に応じた制御信号を、第２通信部１６を介して測定器３の発光部３１に送信
する。発光部３１は、選択部１１２により送信された制御信号により指示された発光素子
３１１を駆動させる。ここで、速度ｖは検出器２によって検出された測定部位の動作に応
じて積分部１１１により算出された値である。また、各発光素子３１１が照射する光の帯
域は予め定められているので、発光素子駆動情報が駆動させる発光素子３１１を特定する
ということは、発光部３１により照射させる光の帯域を選択していることと同じである。
したがって、選択部１１２は、検出手段により検出された動作に応じて光の帯域を選択す
る選択手段に相当する。選択部１１２は、制御部１１が記憶部１２から読み出したプログ
ラムを実行することにより実現される。
【００２２】
発光部３１が照射した光は、測定部位によって反射され、その反射光は受光部３２によ
って受光される。受光部３２は受光量に応じた受光信号を、第２通信部１６を介して脈波
解析装置１に送る。
解析部１１３は、受光信号を取得して、バンドパスフィルターを通したり、移動平均処
理等を施したりすることで、受光信号に含まれていたノイズを低減した波形を得る。この
波形は、脈波である。また、解析部１１３は、脈波に対して、一回微分の演算を施して速
度脈波を算出し、二回微分の演算を施して加速度脈波を算出する。解析部１１３は、加速
度脈波に現れる波形形状や各波高の波高比等に基づいて、生体の循環器機能を評価し、評
価結果を出力部１１４に送る。解析部１１３は、制御部１１が記憶部１２から読み出した
プログラムを実行することにより実現される。
出力部１１４は、記憶部１２と表示部１４とにそれぞれ適した形式で、評価結果を出力
する。これにより、生体の循環器機能の評価結果は記憶部１２に記憶され、表示部１４に
表示される。出力部１１４は、制御部１１が記憶部１２から読み出したプログラムを実行
することにより実現される。
【００２３】
２．動作
図４は、脈波測定システム９の動作を示すフロー図である。脈波解析装置１の制御部１
１は、検出器２によって出力された加速度ベクトルを、第１通信部１５を介して取得する
。すなわち、脈波測定システム９は、測定部位の体動を検出する（ステップＳ１１）。そ
して、制御部１１は、取得した加速度ベクトルからＺ軸方向の加速度を抽出し、これを数
値積分することで重力方向の速度ｖを算出する（ステップＳ１２）。制御部１１は、対応
表１２１を参照することにより、算出した速度ｖに対応する発光素子駆動情報を特定する
（ステップＳ１３）。これにより、測定器３の発光部３１により照射される光の帯域が選
択される。制御部１１は、特定した発光素子駆動情報に応じた制御信号を測定器３の発光
部３１に送信することで、発光を制御する（ステップＳ１４）。
【００２４】
次に、制御部１１は、測定器３の受光部３２から受光信号を取得することにより、この
受光信号が示す脈波情報を取得する（ステップＳ１５）。制御部１１は、取得した脈波情
報に対してフィルター処理を行い（ステップＳ１６）、これによりノイズが低減された脈
波情報に対して微分演算を行う。そして、微分演算で得られた速度脈波および加速度脈波
を予め記憶部１２に記憶された循環器機能に関する臨床データ等を参照することにより、
測定器３が測定した生体の循環器機能を評価する（ステップＳ１７）。評価結果は、記憶
部１２や表示部１４に合わせた形式に変換されて出力される（ステップＳ１８）。その後
、制御部１１は、操作部１３を介して、ユーザーによって処理を終了する旨の指示がなさ
れているか否かを判断する（ステップＳ１９）。処理を終了する旨の指示がなされている
と判断した場合には（ステップＳ１９；ＹＥＳ）、制御部１１は、脈波解析装置１の処理
を終了する。一方、処理を終了する旨の指示がなされていないと判断した場合には（ステ
ップＳ１９；ＮＯ）、制御部１１は、この処理をステップＳ１１に戻す。
【００２５】
例えば、生体の測定部位の一例としてヒトの上腕部を測定する場合を挙げて説明する。
図５は、ヒトの上腕部を測定した測定信号の時間変化を表す概略図である。同図の横軸（
右方向）は時間の経過を表しており、右に進むほど時間が経過していることを示している
。また、同図の縦軸（上方向）は測定部位の高さまたは光の強度を表しており、上である
ほど、測定部位の位置が高い、または光が強いことを示している。
上腕部を上から下へ移動させると、全身の血液の一部は上腕部に流れ込むため、上腕部
はうっ血状態に変化する。測定部位がうっ血状態に変化すると、血中ヘモグロビンの量が
増加するため緑色光は赤色光に比べて影響を受けやすい。具体的には、うっ血状態に変化
しているときの生体部位に緑色光を照射したときの反射光には、同じ条件で生体部位に赤
色光を照射したときの反射光よりも多くの体動ノイズが重畳する。図５（ａ）に示すよう
に、測定部位を上から下へ移動させると、赤色光の測定信号に比べて緑色光の測定信号は
大きく振れる。したがって、この場合には、緑色光よりも赤色光を照射したほうが、正確
な脈波が検出され易い。
【００２６】
これに対して、下から上へ上腕部を移動させると、上腕部から全身に向けて血液の一部
が流れ出すため、上腕部は虚血状態に変化する。測定部位が虚血状態に変化すると、うっ
血状態に変化する場合とは異なり、赤色光の方が緑色光に比べて影響を受けやすい。その
結果、赤色光の反射光には緑色光の反射光よりも多くの体動ノイズが重畳する。図５（ｂ
）に示すように、測定部位を下から上へ移動させると、緑色光の測定信号に比べて赤色光
の測定信号は大きく振れる。したがって、この場合には、赤色光よりも緑色光を照射した
ほうが、正確な脈波が検出され易い。
【００２７】
以上の性質に基づいて、脈波解析装置１は、０．７ｍ／ｓ以上の速度で重力方向に沿っ
て移動する生体部位に対しては、緑色光の照射を停止し、赤色光の照射を行うように、ま
た、−０．７ｍ／ｓ未満の速度で重力方向に沿って移動する生体部位（すなわち、０．７
ｍ／ｓを超える速度で重力方向と逆の方向に移動する生体部位）に対しては、赤色光の照
射を停止し、緑色光の照射を行うように構成されている。
【００２８】
検出器２はヒトの上腕部に取り付けられ、上腕部の動きに応じて、その上腕部の加速度
を示す加速度ベクトルを出力する。制御部１１は、加速度ベクトルから上腕部の重力方向
の速度ｖを算出する。例えば、ヒトが上腕部を上から下へ向けて１．２ｍ／ｓの速度で移
動させると、制御部１１は、速度ｖとして「１．２ｍ／ｓ」を算出する。これは、記憶部
１２の対応表１２１において、「ｖ≧０．７」つまり、速度ｖが０．７ｍ／ｓ以上である
ので、これに対応する発光素子駆動情報は、発光素子３１１ａについては「×」であり、
発光素子３１１ｂについては「○」である。したがって、この場合には、発光素子３１１
ａは駆動せず、発光素子３１１ｂが駆動されるので、発光部３１からは赤色光が照射され
る。
【００２９】
一方、ヒトが上腕部を下から上へ向けて１．１ｍ／ｓの速度で移動させると、制御部１
１は、速度ｖとして「−１．１ｍ／ｓ」を算出する。これは、記憶部１２の対応表１２１
において、「０．７＞ｖ」つまり、速度ｖが−０．７ｍ／ｓ未満であるので、これに対応
する発光素子駆動情報は、発光素子３１１ａについては「○」であり、発光素子３１１ｂ
については「×」である。したがって、この場合には、発光素子３１１ｂは駆動せず、発
光素子３１１ａが駆動されるので、発光部３１からは緑色光が照射される。
【００３０】
なお、制御部１１がプログラムを実行することにより実現する選択部１１２は、生体が
うっ血状態になる場合に測定部位に照射する光として、緑色光よりも長波長側の光である
赤色光を選択するのであるから、生体内の血液が移動してその生体がうっ血状態になるよ
うな動作を検出手段が検出した場合には、その生体が虚血状態になるような動作を検出手
段が検出した場合に比較して長波長側にある帯域を選択する選択手段に相当する。
【００３１】
また、重力方向に沿った速度ｖが「０．７＞ｖ≧−０．７」を満たす場合、すなわち、
速度ｖが−０．７ｍ／ｓ以上であって０．７ｍ／ｓ未満である場合には、上腕部はうっ血
状態にも虚血状態にも変化しないか、それらの変化の程度が比較的軽い状態である。その
ため、測定器３の測定結果に対する体動ノイズの影響が予め定めた程度を下回ることとな
る。このような場合には、赤色光と緑色光の両方の反射光が受ける体動ノイズに比較して
、各反射光からそれぞれ脈波に関する情報が得られることが期待されるので、脈波解析装
置１は発光素子３１１ａおよび発光素子３１１ｂの両者を駆動させ、赤色光および緑色光
の両方を測定部位に照射する。
【００３２】
以上説明したとおり、脈波測定システム９は、検出器２により測定部位の動作を検出す
ることで、その測定部位の体動をリアルタイムに把握し、この体動による影響を測定結果
が受け難くなるように照射する光を選択することができる。
【００３３】
３．変形例
以上が実施形態の説明であるが、この実施形態の内容は以下のように変形し得る。また
、以下の変形例を組み合わせてもよい。
（１）上述の実施形態において、受光部３２は、発光素子３１１により照射される光が測
定部位によって反射する反射光を受光していたが、測定部位において透過する透過光を受
光してもよい。
【００３４】
（２）上述の実施形態において、対応表１２１には、脈波解析装置１が測定器３を制御し
て発光させる発光素子３１１ごとに駆動の有無を示す発光素子駆動情報が記述されていた
が、発光させる光の帯域が記述されていてもよい。この場合、測定器３は、記述された帯
域に応じた制御信号を受けると、その帯域の光を照射するように構成されていればよい。
例えば、ピーク幅が広い光をプリズムによりピーク幅の狭い光に変換して測定部位に照射
するような場合には、発光素子駆動情報により特定される帯域を上記の制御信号から取得
して、この帯域に応じた光が測定部位に照射されるようにプリズムの角度を調整すればよ
い。なお、プリズムに替えて光学フィルター等を用いてもよい。
【００３５】
（３）上述の実施形態において、対応表１２１には、３種類の体動条件について、それぞ
れ発光素子駆動情報が対応付けられて記述されていたが、この種類の数は２種類であって
もよく、４種類以上であってもよい。
また、２種類の体動条件を記述する場合には、各体動条件は、測定部位が上から下へ移
動するときの体動条件と、下から上へ移動するときの体動条件であってもよい。このよう
にすると、測定部位の動作が重力方向の成分を含む移動である場合と、重力方向と逆の成
分を含む移動である場合とで異なる発光素子３１１が選択される。すなわち、測定部位の
動作が重力方向と逆の成分を含む移動である場合には、赤色光よりも短波長側にある緑色
光が選択され、測定部位の動作が重力方向の成分を含む移動である場合には、緑色光より
も長波長側にある赤色光が選択される。すなわち、制御部１１がプログラムを実行するこ
とにより実現する選択部１１２は、検出手段が検出した測定部位の動作が重力方向の成分
を含む移動である場合には、その部位の動作が重力方向と逆の成分を含む移動である場合
に比較して長波長側にある帯域を選択する選択手段に相当する。
【００３６】
（４）発光素子３１１の数は２つに限られず、３つ以上であってもよい。要するに、発光
部３１は、脈波解析装置１の指示に応じて、帯域の異なる複数種類の光をそれぞれ照射す
ることができればよい。
【００３７】
（５）上述の実施形態において、体動条件とは、測定部位が移動するときの重力方向の速
度ｖに応じて区分された条件であったが、重力方向以外の速度や加速度等に応じて区分さ
れた条件であってもよく、またこれらを組み合わせた条件であってもよい。例えば、測定
部位が或る程度以上の何らかの力（例えば、遠心力等）を受けている場合にも、その測定
部位はうっ血状態になり得る。測定部位が或る程度以上の力を受けているということは、
その測定部位において測定される加速度の絶対値が閾値を超えるということを意味する。
したがって、検出器２により検出された加速度の絶対値が閾値を超える場合には、制御部
１１は、生体をうっ血状態にさせ得る力を受けていると判断して、発光させる発光素子３
１１を選択してもよい。この場合、対応表１２１には、体動条件として加速度の絶対値が
閾値に応じて区分されて記述されており、各体動条件に対応付けて発光素子駆動情報が記
述されていればよい。なお、加速度の絶対値が閾値を超える場合とは、測定部位が回転運
動をする場合のほか、直線運動の場合も含むものである。この直線運動は、例えば、停止
している自動車が発進するときや、動いていた列車が停止するとき等に、その自動車や列
車に乗っているヒトの測定部位の運動を含む。
【００３８】
また、例えば、測定部位である上腕を横に振るといった場合について説明する。この場
合、上腕の高さは多少のブレはあっても大きくは変わらないので、重力方向の速度ｖは０
ｍ／ｓに近い値となる。しかし、上腕が横に振られているということは、肩や背骨を軸と
した回転運動をしているということである。つまり、上腕はその回転の中心から末端に向
かう方向の遠心力を受け全身の血液が集まった結果、うっ血状態になり易くなる。そこで
、選択部１１２は、検出器２により検出された加速度から算出した重力方向の速度ｖが、
予め決められた範囲であり、且つ、検出された加速度に基づいて特定される測定部位の動
作が、その測定部位から生体の末端に向かう遠心力を生じさせる動作である場合には、そ
の測定部位からその生体の末端に向かう遠心力を生じさせない動作である場合に比較して
長波長側にある帯域を選択すればよい。
【００３９】
（６）上述の実施形態において、対応表１２１の発光素子駆動情報は「○」と「×」とで
記述されていたが、発光素子３１１の出力強度に応じた数値により記述されていてもよい
。この場合、選択部１１２が対応表１２１を参照して、測定部位の速度ｖに対応する発光
素子駆動情報を特定すると、その発光素子駆動情報に含まれる各数値に応じた出力強度で
各発光素子３１１を発光させればよい。体動条件によっては、体動ノイズが増加しても脈
波に関する情報が得られる場合がある。したがって、体動ノイズが増加するのに応じて、
発光素子３１１の出力強度を低下させるようにすれば、体動ノイズの影響を抑制するとと
もに、出力強度を低下させた発光素子３１１の照射光に応じた反射光から脈波に関する情
報を得ることができる。
【００４０】
（７）上述の実施形態において、緑色光は、主波長が５２０ｎｍの光であったが、例えば
、主波長が５５０ｎｍや５７０ｎｍの光であってもよい。また、赤色光は、主波長が６６
０ｎｍの光であったが、例えば、主波長が８８０ｎｍの光であってもよい。なお、主波長
が５５０ｎｍ、５７０ｎｍの光は、一般にヒトの目にはそれぞれ黄緑色、黄色に見える。
また、主波長が８８０ｎｍの光は一般にヒトの目には見えない赤外色である。このように
変形しても、生体がうっ血状態になる場合と、虚血状態になる場合とのそれぞれにおける
体動ノイズの挙動は上記と同様である。
【００４１】
（８）上述の実施形態において、検出器２は、生体の測定部位に取り付けられていたが、
測定部位に取り付けられていなくてもよい。例えば、検出器２は、カメラを備えており、
このカメラによって測定部位を撮影することによって、測定部位の動作を検出してもよい
。また、例えば、検出器２は、測定部位に超音波等を照射して、その超音波が反射されて
戻ってくるまでの時間を計測することにより、測定部位の動作を検出してもよい。
【００４２】
（９）脈波解析装置１の制御部１１によって実行される各プログラムは、磁気テープや磁
気ディスクなどの磁気記録媒体、光ディスクなどの光記録媒体、光磁気記録媒体、半導体
メモリなどの、コンピューター装置が読み取り可能な記録媒体に記憶された状態で提供し
得る。また、このプログラムを、インターネットのようなネットワーク経由でダウンロー
ドさせることも可能である。なお、上記制御部１１によって例示した制御手段としてはＣ
ＰＵ以外にも種々の装置を適用することができ、例えば、専用のプロセッサなどを用いて
もよい。
【符号の説明】
【００４３】
１…脈波解析装置、１１…制御部、１１１…積分部、１１２…選択部、１１３…解析部、
１１４…出力部、１２…記憶部、１２１…対応表、１３…操作部、１４…表示部、１５…
第１通信部、１６…第２通信部、２…検出器、３…測定器、３１…発光部、３１１，３１
１ａ，３１１ｂ…発光素子、３２…受光部、９…脈波測定システム。
【図１】
2011217784.tif 000003
【図２】
2011217784.tif 000004
【図３】
2011217784.tif 000005
【図４】
2011217784.tif 000006
【図５】
2011217784.tif 000007